(57)【要約】【課題】タンク本体を防露材で覆いながらも薄型化を図ることができる便器洗浄タンク、便器装置及び給水ホースを防露材の内側に容易に収容することができる便器洗浄タンクの施工方法を提供すること。【解決手段】洗浄水を貯留するタンク本体４１と、タンク本体４１を覆う防露材４４と、を有する便器洗浄タンク４であって、防露材４４は、両側部の前後方向にアンダー部を有することなく、前後方向に分割されている。【選択図】図３
2019190248.tif 000002
【特許請求の範囲】
【請求項１】
洗浄水を貯留するタンク本体と、前記タンク本体を覆う防露材と、を有する便器洗浄タンクであって、
前記防露材は、両側部の前後方向にアンダー部を有することなく、前後方向に分割されている、便器洗浄タンク。
【請求項２】
前記タンク本体内に洗浄水を供給する給水ホースを有し、
前記給水ホースは、前記タンク本体と前記防露材との間に収容されている、請求項１に記載の便器洗浄タンク。
【請求項３】
前記タンク本体の下部にベースプレートを有し、
前記ベースプレートは、前記給水ホースを側方から嵌合させて係止する係止溝部を有する、請求項２に記載の便器洗浄タンク。
【請求項４】
前記防露材を前後方向から挟む挟持部材を有し、
前記挟持部材は、前記ベースプレートの幅方向の両端面にそれぞれ取り付けられている、請求項１〜３のいずれか１項に記載の便器洗浄タンク。
【請求項５】
前記防露材は、突合せ面に亘って差し込まれた連結部材によって連結されている、請求項１〜４のいずれか１項に記載の便器洗浄タンク。
【請求項６】
前記タンク本体は、ブロー成形品である、請求項１〜５のいずれか１項に記載の便器洗浄タンク。
【請求項７】
便器本体と、前記便器本体に供給する洗浄水を貯留する請求項１〜６のいずれか１項に記載の便器洗浄タンクと、を備える、便器装置。
【請求項８】
洗浄水を貯留するタンク本体と、前記タンク本体を覆う防露材と、前記タンク本体内に洗浄水を供給する給水ホースと、を有する便器洗浄タンクの施工方法であって、
前記防露材は、両側部の前後方向にアンダー部を有することなく、前後方向に分割された前側防露材と後側防露材とを有し、
前記タンク本体内の内部部品に接続された前記給水ホースを、前記タンク本体の後面に沿って配置させた後、前記タンク本体の後面に、前記給水ホースを覆って前記後側防露材を取り付ける、便器洗浄タンクの施工方法。
【請求項９】
洗浄水を貯留するタンク本体と、前記タンク本体を覆う防露材と、を有する便器洗浄タンクであって、
前記防露材は、前記防露材の側面上の両側面に配置される突合せ面を境にして前後方向に分割されている、便器洗浄タンク。
【発明の詳細な説明】
【技術分野】
【０００１】
本発明は、便器洗浄タンク及び便器装置に関し、詳しくは、洗浄水量を確保しながらも、タンク本体の奥行方向の寸法を小さくした薄型の便器洗浄タンク及びこれを備える便器装置に関する。
【背景技術】
【０００２】
従来、洗浄水を貯留するタンク本体と、タンク本体を覆う防露材と、を有する便器洗浄タンクが知られている（例えば、特許文献１参照）。
【先行技術文献】
【特許文献】
【０００３】
【特許文献１】特開２０１２−１７７２５７号公報
【発明の概要】
【発明が解決しようとする課題】
【０００４】
近年、便器装置において、便器の前出寸法の縮小化が求められている。このような便器装置を、便器に便器洗浄タンクが固定される便器装置により構成する場合、便器の前出寸法を縮小するためには、便器洗浄タンクを薄型化することが必要である。
【０００５】
特許文献１に記載の便器洗浄タンクのタンク本体は、成形型から離型するための抜き勾配が上下方向に設けられ、上部よりも下部の幅及び奥行き寸法が小さくなる形状を有している。このため、このタンク本体を覆う防露材も、タンク本体の外周面の形状に合わせて、上下方向の抜き勾配が設けられ、上部よりも下部の幅及び奥行き寸法が小さくなる形状を有している。その結果、タンク本体を薄型化すると、タンク本体の抜き勾配のみならず、防露材の抜き勾配に相当するタンク容積が減少し、所望の洗浄水量を確保することが困難となる問題がある。
【０００６】
また、上記従来の防露材は、タンク本体の外周面の形状に合わせて成形された一体物であるため、給水ホースをタンク本体と防露材との間に収容する際は、防露材の底面に形成される挿通孔に給水ホースを挿入する必要がある。しかし、給水ホースは可撓性を有するものの、耐圧性を有するがゆえに鋭角に屈曲させることが困難であるため、便器洗浄タンクの組立て作業性を向上させる観点では、従来の便器洗浄タンクは改善の余地があった。
【０００７】
本発明は、タンク本体を防露材で覆いながらも薄型化を図ることができる便器洗浄タンク及び便器装置を提供することを目的とする。
また、本発明は、タンク本体を防露材で覆いながらも薄型化を図ることができると共に、給水ホースを防露材の内側に容易に収容することができる便器洗浄タンクの施工方法を提供することを目的とする。
【課題を解決するための手段】
【０００８】
（１）  本発明に係る便器洗浄タンクは、洗浄水を貯留するタンク本体（例えば、後述のタンク本体４１）と、前記タンク本体を覆う防露材（例えば、後述の防露材４４、前側防露材４４１、後側防露材４４２）と、を有する便器洗浄タンク（例えば、後述の便器洗浄タンク４）であって、前記防露材は、両側部の前後方向にアンダー部を有することなく、前後方向に分割されている。
【０００９】
（２）  （１）に記載の便器洗浄タンクにおいて、前記タンク本体内に洗浄水を供給する給水ホース（例えば、後述の給水ホース６）を有し、前記給水ホースは、前記タンク本体と前記防露材との間に収容されていることが好ましい。
【００１０】
（３）  （２）に記載の便器洗浄タンクにおいて、前記タンク本体の下部にベースプレート（例えば、後述のベースプレート４３）を有し、前記ベースプレートは、前記給水ホースを側方から嵌合させて係止する係止溝部（例えば、後述の係止溝部４３３）を有することが好ましい。
【００１１】
（４）  （１）〜（３）のいずれかに記載の便器洗浄タンクにおいて、前記防露材を前後方向から挟む挟持部材（例えば、後述の側面フレーム部材４５１、取付け金具４７）を有し、前記挟持部材は、前記ベースプレートの幅方向の両端面（例えば、後述の端面４３ａ）にそれぞれ取り付けられていることが好ましい。
【００１２】
（５）  （１）〜（４）のいずれかに記載の便器洗浄タンクにおいて、前記防露材は、突合せ面に亘って差し込まれた連結部材（例えば、後述の連結部材４８）によって連結されていることが好ましい。
【００１３】
（６）  （１）〜（５）のいずれかに記載の便器洗浄タンクにおいて、前記タンク本体は、ブロー成形品であることが好ましい。
【００１４】
（７）  本発明に係る便器装置は、便器本体（例えば、後述の便器本体２１）と、前記便器本体に供給する洗浄水を貯留する（１）〜（６）のいずれかに記載の便器洗浄タンク（例えば、後述の便器洗浄タンク４）と、を備える。
【００１５】
（８）  本発明に係る便器洗浄タンクの施工方法は、洗浄水を貯留するタンク本体（例えば、後述のタンク本体４１）と、前記タンク本体を覆う防露材（例えば、後述の防露材４４）と、前記タンク本体内に洗浄水を供給する給水ホース（例えば、後述の給水ホース６）と、を有する便器洗浄タンク（例えば、後述の便器洗浄タンク４）の施工方法であって、前記防露材は、両側部の前後方向にアンダー部を有することなく、前後方向に分割された前側防露材（例えば、後述の前側防露材４４１）と後側防露材（例えば、後述の後側防露材４４２）とを有し、前記タンク本体内の内部部品（例えば、後述のボールタップ４ａ）に接続された前記給水ホースを、前記タンク本体の後面に沿って配置させた後、前記タンク本体の後面に、前記給水ホースを覆って前記後側防露材を取り付ける。
【００１６】
（９）  本発明に係る便器洗浄タンクは、洗浄水を貯留するタンク本体（例えば、後述のタンク本体４１）と、前記タンク本体を覆う防露材（例えば、後述の防露材４４）と、を有する便器洗浄タンク（例えば、後述の便器洗浄タンク４）であって、前記防露材は、前記防露材の側面上の両側面に配置される突合せ面（例えば、後述の突合せ面４４１ａ、４４２ａ）を境にして前後方向に分割されている。
【発明の効果】
【００１７】
本発明によれば、タンク本体を防露材で覆いながらも薄型化を図ることができる便器洗浄タンク及び便器装置を提供することができる。
また、本発明によれば、タンク本体を防露材で覆いながらも薄型化を図ることができると共に、給水ホースを防露材の内側に容易に収容することができる便器洗浄タンクの施工方法を提供することができる。
【図面の簡単な説明】
【００１８】
【図１】本発明に係る便器洗浄タンクを備える便器装置の斜視図である。
【図２】本発明に係る便器洗浄タンクの内部を示す平面図である。
【図３】本発明に係る便器洗浄タンクの一部を分解して示す斜視図である。
【図４】本発明に係る便器洗浄タンクの下部構造の要部を拡大して示す断面図である。
【図５】本発明に係る便器洗浄タンクを後方側から見た斜視図である。
【図６】ベースプレートの要部を拡大して示す図である。
【図７】壁掛けタイプの便器装置の斜視図である。
【図８】壁掛けタイプの便器装置を後方側から見た斜視図である。
【図９】壁掛けタイプの便器装置の便器洗浄タンクの側面図である。
【図１０】防露材の連結部材を示す拡大正面図である。
【発明を実施するための形態】
【００１９】
以下、本発明の実施形態について図面を参照して詳細に説明する。
本実施形態に示す便器装置１は、図１に示すように、便器２が床面ｆ１に設置される床置きタイプの便器装置を示している。便器装置１は、便器２と、この便器２の後方に配置される便器洗浄装置３と、を備えている。なお、以下の説明において、便器２に着座した使用者から見た場合の前後の向きを前後方向とする。また、便器２に着座した使用者から見た場合の左右の向きを幅方向とする。更に、床面ｆ１に対する鉛直方向に沿う上下の向きを上下方向とする。
【００２０】
便器２は、立壁面ｆ２に近接した床面ｆ１上に設置されている。便器２は、便器本体２１の上部に回動可能に取り付けられた便座２２及び便蓋２３と、これら便座２２及び便蓋２３の後方に配置される便座装置の機能部２４と、を有している。便器本体２１の後部の両側面には、それぞれサイドカバー２１１が面ファスナー等によって着脱可能に取り付けられ、便器本体２１の後部を遮蔽している。
【００２１】
便器洗浄装置３は、便器本体２１の後方に配置されている。便器洗浄装置３は、便器洗浄タンク４と、便器洗浄タンク４の外装体であるタンクカバー５と、を含んで構成される。
【００２２】
本実施形態に示すタンクカバー５は、便器洗浄タンク４の前方を覆う前カバー５１と、便器洗浄タンク４の側方及び後方を覆う後カバー５２と、便器洗浄タンク４の上方を覆う上カバー５３と、を有する。前カバー５１と上カバー５３は、後カバー５２に対して着脱可能に取り付けられる。これにより、便器洗浄タンク４の全体がタンクカバー５によって遮蔽され、見栄えが良好となり、意匠性が向上する。
【００２３】
なお、便器洗浄タンク４の下方の便器２の後方側は、左右一対の下カバー５４によって覆われている。これにより、便器２の後方側に配置される配管部品（図示せず）等が目隠しされると共に、便器２の後方側が便器洗浄装置３から下方向に延びる薄型の箱体形状となり、意匠的な統一感が生み出されて意匠性が更に向上する。
【００２４】
便器洗浄タンク４は、図３に示すように、タンク本体４１と、内蓋４２と、ベースプレート４３と、防露材４４と、補強フレーム４５と、備えている。なお、図３では、便器２のうちの便器本体２１のみ破線で示し、便座２２、便蓋２３、機能部２４の図示を省略している。
【００２５】
タンク本体４１は、ブロー成形品からなる。ブロー成形されたタンク本体４１の上面開口部４１１（図２参照）は、ブロー成形品の上部を略水平方向に切断することによって形成される。このため、ブロー成形品は、前後方向に離型することによって成形でき、射出成形品のような離型のための抜き勾配を上下方向に設ける必要がない。その結果、タンク本体４１の外周面は、上下方向に沿って真っ直ぐな面となり、床面ｆ１に対して垂直に延びた側壁面を構成することができる。このため、タンク本体４１は、抜き勾配に起因するタンク容積の減少が少なく、奥行き寸法を小さくして薄型化しても、射出成形品に比べてタンク容積を大きく確保することが可能である。タンク本体４１が薄型化されることにより、このタンク本体４１を有する便器洗浄タンク４を備えた便器装置１は、前後方向の寸法（前出寸法）を縮小化することが可能である。
【００２６】
本実施形態に示すタンク本体４１は、前後方向（奥行き方向）よりも左右方向（幅方向）に長く形成されている。具体的には、このタンク本体４１は、左右方向の長さ（幅）と前後方向の長さ（奥行き）との比が、５．４：２となるように形成されている。
【００２７】
タンク本体４１の内部には洗浄水が貯留されると共に、図２に示すように、便器洗浄用の内部部品が収容されている。具体的には、タンク本体４１内には、給水を行うボールタップ４ａ、ボールタップ４ａの止水を行うためのフロート４ｂ、洗浄水の水位を制限すると共に便器本体２１に補給水を供給するためのオーバーフロー管４ｃ、排水口を開閉するフラッパー弁４ｄ、フラッパー弁４ｄを引き上げる玉鎖４ｅ、玉鎖４ｅを引き上げ操作するための引上げアーム４ｆ等が収容されている。引上げアーム４ｆには、タンクカバー５の外側に取り付けられるレバーハンドル４ｇのスピンドル４ｈが連結されている。
【００２８】
内蓋４２は、タンク本体４１の上面開口部４１１（図２参照）を被蓋するようにタンク本体４１に対してねじ止めされている。具体的には、内蓋４２は、内蓋本体４２１と、点検蓋４２２とで構成される。内蓋本体４２１は、上面開口部４１１の全周に沿って装着され、タンク本体４１に対してねじ止めされる。一方、点検蓋４２２は、タンク本体４１に対してねじ止めされておらず、内蓋本体４２１に対して着脱可能に取り付けられている。このため、内蓋４２は、内蓋本体４２１から点検蓋４２２を取り外すことにより、ねじ止めされている内蓋本体４２１を取り外すことなく、タンク本体４１の内部に対してアクセス可能である。
【００２９】
ベースプレート４３は、タンク本体４１の下部に取り付けられている。ベースプレート４３は、タンク本体４１よりも硬質な樹脂によって形成され、タンク本体４１の底面形状に略等しい平面形状を有している。ベースプレート４３は、タンク本体４１の下面を支持すると共に、ベースプレート４３の底部から突出する一対の緊締ボルト４３１（図３参照）によって、便器本体２１の後部の上面２１ａに固定されることにより、タンク本体４１を便器本体２１に固定する機能を有する。
【００３０】
タンク本体４１とベースプレート４３との取付け構造を図４に示す。タンク本体４１の底面４１２に、円形の下面開口部４１３が形成されている。この下面開口部４１３には、略円筒状の弁座シート４６が装着されている。弁座シート４６は、タンク本体４１の内部部品の一つであるフラッパー弁４ｄ（図４において図示せず）の弁座を構成する部品であり、下面開口部４１３よりも大径なフランジ部４６１を有している。弁座シート４６は、フランジ部４６１とタンク本体４１との間にパッキン４６ａを挟むようにして、タンク本体４１の内側から装着されている。
【００３１】
弁座シート４６は、フランジ部４６１よりも下方側に、外周面に雄ねじを有する円筒部４６２を一体に有し、この円筒部４６２が下面開口部４１３から下方に突出している。弁座シート４６は、下面開口部４１３から突出する円筒部４６２に、タンク本体４１の外側から締付けナット４６ｂが螺合することにより、タンク本体４１に取り付けられている。
【００３２】
一方、ベースプレート４３の中央部には、円形の開口部４３２が設けられ、この開口部４３２に、タンク本体４１の下面から突出する弁座シート４６の円筒部４６２が貫挿されている。そして、この開口部４３２から下方に突出する円筒部４６２に締付けナット４６ｃが螺合することにより、ベースプレート４３が締付けナット４６ｃとタンク本体４１との間で挟着されている。これにより、タンク本体４１の下部にベースプレート４３が固定される。
【００３３】
タンク本体４１に固定されたベースプレート４３は、下面に突設される一対の緊締ボルト４３１（図３参照）を、便器本体２１の上面２１ａに設けられるタンク取付け穴（図示せず）に挿入させて固定される。これにより、タンク本体４１がベースプレート４３を介して便器本体２１に固定される。便器本体２１に固定されたタンク本体４１の円筒部４６２は、便器本体２１の洗浄水流入口（図示せず）と連通し、タンク本体４１内の洗浄水を便器本体２１に供給可能とされる。
【００３４】
防露材４４は、発泡スチロール樹脂等により、タンク本体４１の外周面に沿った形状に成形されている。本実施形態に示す防露材４４は、両側面（防露材４４の幅方向の両端面）に配置される前側防露材４４１と後側防露材４４２との突合せ面４４１ａ、４４２ａを境にして前後方向に２分割されている。具体的には、防露材４４は、両側部（防露材４４の前面部と後面部とを連結する部位）の前後方向にアンダー部（前後方向と交差する方向に突出する凸部又は前後方向と交差する方向に凹む凹部）を有することなく、前後方向に分割されている。防露材４４は、前側防露材４４１と後側防露材４４２とで、タンク本体４１を前後方向から挟むようにタンク本体４１の外周面に装着されている。防露材４４は、少なくともタンク本体４１内に貯留される洗浄水の水位に対応する高さを有する。
【００３５】
この防露材４４は、両側部の前後方向にアンダー部を有することなく前側防露材４４１と後側防露材４４２とに前後方向に２分割されているため、成形型から離型するための抜き勾配が前後方向に設けられ、従来の防露材のような上下方向には設けられない。これにより、前側防露材４４１と後側防露材４４２とが組み合わされて構成される防露材４４は、便器洗浄タンク４の前面側及び後面側において上下方向に沿って垂直に延びる面を形成することができる。その結果、便器洗浄タンク４を薄型化しても、従来のような防露材の抜き勾配に起因する便器洗浄タンク４のタンク容積の減少を招くおそれはない。しかも、本実施形態に示すタンク本体４１にも上下方向の抜き勾配が設けられていないことと相俟って、便器洗浄タンク４の更なる薄型化を図り、便器装置１の前後方向の寸法（前出寸法）を更に縮小化することが可能である。
【００３６】
本実施形態に示す前側防露材４４１の突合せ面４４１ａと後側防露材４４２の突合せ面４４２ａとは、防露材４４の両側部の中央部に上下方向に沿って直線状に延びるように配置されているが、これらの突合せ面４４１ａ、４４２ａは、両側部の前後方向にアンダー部が形成されない限り、防露材４４のどの位置に配置されていてもよく、防露材４４の側面上の両側面にそれぞれ配置することができる。また、例えば、図示しないが、前側防露材４４１と後側防露材４４２とは、それぞれ平面視でＬ字型に形成され、それらが組み合わされることによって、内部にタンク本体４１の収容空間が形成されるようにしてもよい。また、突合せ面４４１ａ、４４２ａは必ずしも上下方向に沿って直線状に延びていなくてもよい。
【００３７】
防露材４４は、前後方向に２分割されることにより、図５に示すように、防露材４４の後面側に上下方向に沿う凸部又は凹部を有することができる。しかも、前側防露材４４１及び後側防露材４４２の抜き勾配は、防露材４４の両側面に前後方向に沿って設けられるため、防露材を左右方向に分割する場合に比べて、抜き勾配に起因する防露材４４の内側空間の容積減少分が少なくなり、それだけタンク本体４１のインク容積を確保することができる。
【００３８】
図５に示すように、本実施形態に示す便器洗浄タンク４には、タンク本体４１と防露材４４（後側防露材４４２）との間に、可撓性を有する耐圧ホースからなる給水ホース６が収容されている。このため、給水ホース６は、防露材４４によって覆われて断熱され、外観表面の結露の発生が抑制される。給水ホース６の一端は、タンク本体４１内に配置されるボールタップ４ａ（図２参照）に接続され、他端は、防露材４４（後側防露材４４２）の下端、具体的には防露材４４（後側防露材４４２）とベースプレート４３との境界部から外部に露出して下方に延び、図示しない接続金具を介して給水管に接続される。
【００３９】
給水ホース６において、防露材４４の下端から外部に露出したホース部分は、ベースプレート４３に設けられた係止溝部４３３内に嵌合して係止される。係止溝部４３３は、図６に示すように、給水ホース６の位置に対応するベースプレート４３の後方側の角部に、後方に向けて開放するＵ字型に形成されている。
【００４０】
係止溝部４３３の溝入口側（後方側）には、２つの係止突部４３４、４３５が設けられている。一方の係止突部４３４は、係止溝部４３３を構成する幅方向の一対の側壁部のうちの外側の側壁部４３３ａの後端側に一体に設けられている。この係止突部４３４は、側壁部４３３ａから係止溝部４３３の溝入口側を、係止溝部４３３の溝幅の略半分に亘って遮るように、ベースプレート４３の幅方向の内側に向けて突出している。また、他方の係止突部４３５は、内側の側壁部４３３ｂに沿って、側壁部４３３ｂを延長するように後方に向けて突出している。
【００４１】
係止突部４３４、４３５は、ベースプレート４３の高さ方向の位置が異なっている。一方の係止突部４３４は、ベースプレート４３（係止溝部４３３）の高さ方向の下端部に配置され、他方の係止突部４３５は、ベースプレート４３（係止溝部４３３）の高さ方向の上端部に配置されている。従って、係止突部４３４、４３５は、突出方向と高さとが互い違いになるように形成されている。
【００４２】
この係止溝部４３３に給水ホース６を嵌合させる際は、給水ホース６を僅かに斜めに撓ませながら、２つの係止突部４３４、４３５間にベースプレート４３の側方（後方）から挿入させることにより行うことができる。このとき、給水ホース６を鋭角に折り曲げたり、給水ホース６を端部から係止溝部４３３に挿入したりする必要がないため、給水ホース６の取り付け作業を楽に行うことができる。
【００４３】
具体的な施工方法としては、先ず、予めベースプレート４３が取り付けられたタンク本体４１を用意し、タンク本体４１内のボールタップ４ａ（図２参照）に給水ホース６の一端を接続する。給水ホース６の他端側は、タンク本体４１の後面に沿って下方に延びるように配置される。その後、タンク本体４１の後面に、給水ホース６を覆って後側防露材４４２を取り付ける。これにより、タンク本体４１と防露材４４（後側防露材４４２）との間に給水ホース６が収容される。
【００４４】
この方法によれば、給水ホース６をタンク本体４１に沿わせておくだけで、給水ホース６を防露材４４内に収容可能であるため、従来のように給水ホースの端部を防露材の挿通孔に挿入する面倒な作業の必要がなく、防露材４４の内側への給水ホース６の収容作業を容易に行うことができる。なお、給水ホース６は、後側防露材４４２を取り付ける前又は後に、上記のようにベースプレート４３の係止溝部４３３内に係止される。
【００４５】
本実施形態に示す補強フレーム４５は、図３に示すように、便器洗浄タンク４の両側面に配置される金属製の側面フレーム部材４５１と、便器洗浄タンク４の前面側に幅方向に延びるように配置される金属製の補強ステー４５２と、を有している。
【００４６】
側面フレーム部材４５１は、ベースプレート４３の幅方向の両端面４３ａに、それぞれ固定ねじ４５ａによって固定されている。側面フレーム部材４５１は、ベースプレート４３からタンク本体４１の略１／２の高さに亘る範囲の便器洗浄タンク４の側面を覆うように配置されている。側面フレーム部材４５１は、平面視コ字型に形成されており、ベースプレート４３に取り付けられることによって、前側防露材４４１と後側防露材４４２とが前後に開かないように、２分割されている防露材４４を前後方向から挟持している。従って、この側面フレーム部材４５１は、本発明の挟持部材に対応する。
【００４７】
なお、タンクカバー５の後カバー５２は、この側面フレーム部材４５１にねじ固定されている。この後カバー５２に前カバー５１及び上カバー５３が取り付けられることにより、タンクカバー５は、側面フレーム部材４５１及びベースプレート４３を介して便器本体２１に固定される。
【００４８】
補強ステー４５２の両端部は、左右の側面フレーム部材４５１に固定ねじ４５ｂによってそれぞれ固定されている。これにより、左右の側面フレーム部材４５１同士が補強ステー４５２によって連結され、側面フレーム部材４５１に生じるスプリングバック等によって側面フレーム部材４５１が左右方向に広がることを防止している。
【００４９】
補強フレーム４５は、使用者がタンクカバー５に凭れ掛かった際に、その荷重を受けてタンク本体４１に荷重を直接作用させないように機能する。補強ステー４５２に作用する荷重は、補強ステー４５２の両端部から各側面フレーム部材４５１に伝達される。側面フレーム部材４５１は、タンク本体４１よりも堅牢なベースプレート４３に固定されているため、補強ステー４５２から伝達される荷重を効果的に受け止め、ベースプレート４３を介して便器本体２１に逃がすことができる。
【００５０】
なお、前後方向に分割された防露材４４は、抜き勾配も前後方向に設けられるため、図３に示すように、前側防露材４４１の前面には、補強フレーム４５の補強ステー４５２を収容する凹部４４ａと側面フレーム部材４５１を収容する凹部４４ｂとを有することができる。この凹部４４ａ、４４ｂにより、補強フレーム４５の前方への突出量を抑えることができるため、補強フレーム４５を設けてもタンク本体４１のタンク容積の減少を招くことなく、便器洗浄タンク４を薄型化することができる。
【００５１】
補強ステー４５２を収容する凹部４４ａは、前側防露材４４１の上下方向の中央部付近に配置されている。この部位は、使用者がタンクカバー５に凭れ掛かった際に使用者の背中が直接当たる部位に対応する。防露材４４は、上下方向の抜き勾配を持たないため、前側防露材４４１の上下方向の中央部付近に、幅方向に亘って凹部４４ａを備えることが可能である。
【００５２】
図７及び図８は、壁掛けタイプの便器装置１Ａを示している。なお、以下に示す便器装置１Ａにおいて、上述した便器装置１と同一符号の部位は同一構成の部位であるため、それらの詳細な説明は上記の記載を援用し、以下では省略する。
便器装置１Ａは、床面ｆ１と立壁面ｆ２とに亘る逆Ｌ字型の壁パネルＰを有する。壁パネルＰは、前壁面Ｐ１と上壁面Ｐ２とで構成される。便器２は、前壁面Ｐ１に取り付けられている。便器２は、便器本体２１Ａの上部に便座２２と便座装置の機能部２４とを有する。便器２の上方の前壁面Ｐ１には、背凭れ板７ａが取り付けられ、その背凭れ板７ａの一側方に手摺部７ｂが前方に突出するように取り付けられている。この手摺部７ｂは、手摺取付け部７ｃに、上方に回動可能に取り付けられている。また、背凭れ板７ａの他側方には、便器洗浄等を操作するための操作スイッチ７ｄが取り付けられている。
【００５３】
便器本体２１Ａは、図８に示すように、壁パネルＰの背面側に設けられた略Ｈ型の便器固定スタンド１０１によって支持されている。便器固定スタンド１０１の間には、便器本体２１Ａに接続される排水管１０２が配置されている。便器本体２１Ａは、便器洗浄タンク４の取り付け部位を有していない。このため、便器洗浄タンク４は、壁パネルＰの背面側に配置されている。この便器洗浄タンク４は、補強フレーム４５を有しておらず、タンクカバー５で覆われていない以外、上述の床置きタイプの便器装置１における便器洗浄タンク４とほぼ同一である。従って、ここでは、床置きタイプの便器装置１における便器洗浄タンク４と異なる構成のみについて説明する。
【００５４】
便器洗浄タンク４は、便器固定スタンド１０１の上端部に幅方向に亘って取り付けられたタンク取付けフレーム１０３上に載置されている。便器洗浄タンク４は、ベースプレート４３の幅方向の両端面４３ａ（図９参照）にそれぞれ取り付けられたタンク取付け部材４７によって、タンク取付けフレーム１０３に取り付けられている。
【００５５】
タンク取付け部材４７は金属製の板部材からなり、図９に示すように、ベースプレート４３の端面４３ａに固定ねじ４７ａによって固定される取付け部材本体４７１と、この取付け部材本体４７１の上端部の前側及び後側からそれぞれ上方に延びる一対の挟持片４７２と、取付け部材本体４７１の下端に設けられるＬ字型の取付け脚部４７３と、を一体に有している。一対の挟持片４７２は、便器洗浄タンク４の防露材４４の下部側を前後から挟むことができるように前後に離間して配置されている。便器洗浄タンク４は、このタンク取付け部材４７の取付け脚部４７３を利用して、タンク取付けフレーム１０３上にねじ固定されている。
【００５６】
便器洗浄タンク４の防露材４４（前側防露材４４１と後側防露材４４２）は、タンク取付け部材４７の一対の挟持片４７２間に挟まれることによって、下部側の前後方向の開きが阻止される。従って、このタンク取付け部材４７は、本発明の挟持部材に対応する。
【００５７】
タンク取付け部材４７の挟持片４７２は、便器洗浄タンク４の高さに比べて遥かに低く形成されており、防露材４４の下部側の開きしか防止することができない。このため、防露材４４の上部側は、図９に破線で示すように、前側防露材４４１と後側防露材４４２とに亘って設けられる連結部材４８によって連結され、前後方向の開きが阻止されている。
【００５８】
連結部材４８は、図１０に示すように、両端が尖った形状の樹脂製の円柱状部材からなる。連結部材４８の長さ方向の中央部にはフランジ部４８１が形成されていると共に、フランジ部４８１を挟んでその両端側に、それぞれ先端に向けて傾斜する複数の返し部４８２が形成されている。連結部材４８は、図９に示すように、前側防露材４４１と後側防露材４４２との突合せ面４４１ａ、４４２ａにそれぞれ設けられた挿入穴４４１ｂ、４４２ｂにそれぞれ差し込まれることにより、突合せ面４４１ａ、４４２ａを跨ぐように配置される。これにより、前側防露材４４１と後側防露材４４２との上部側が一体に連結される。
【００５９】
なお、この連結部材４８は、防露材４４の幅方向の一方側に配置されるが、防露材４４の幅方向の両側にそれぞれ配置されてもよい。また、連結部材４８は、図３に示すように、必要に応じて、床置きタイプの便器装置１における便器洗浄タンク４にも用いることができる。
【符号の説明】
【００６０】
４  便器洗浄タンク
４１  タンク本体
４３  ベースプレート
４３ａ  （ベースプレートの幅方向の）端面
４３３  係止溝部
４４  防露材
４４１  前側防露材
４４１ａ  （前側防露材の）突合せ面
４４２  後側防露材
４４２ａ  （後側防露材の）突合せ面
４５１  側面フレーム部材（挟持部材）
４７  タンク取付け部材（挟持部材）
４８  連結部材
６  給水ホース
【図１】
2019190248.tif 000003
【図２】
2019190248.tif 000004
【図３】
2019190248.tif 000005
【図４】
2019190248.tif 000006
【図５】
2019190248.tif 000007
【図６】
2019190248.tif 000008
【図７】
2019190248.tif 000009
【図８】
2019190248.tif 000010
【図９】
2019190248.tif 000011
【図１０】
2019190248.tif 000012